(57)【要約】【課題】精度の高い被検者の安否の確認が可能な安否監視装置を提供する。【解決手段】状態監視装置は、被検者を監視し生体情報を検知する少なくとも１つのセンサと、センサで検知されたセンサデータに基づいて被検者の睡眠状態を解析して睡眠情報として保存する処理部と、被検者の睡眠状態に関する情報を直接入力するための入力端末と、入力端末に入力された情報に基づいて、睡眠情報を更新する更新部とを備える。【選択図】図７
2020057223.tif 000002
【特許請求の範囲】
【請求項１】
被検者を監視し生体情報を検知する少なくとも１つのセンサと、
前記センサで検知されたセンサデータに基づいて前記被検者の睡眠状態を解析して睡眠情報として保存する処理部と、
前記被検者の睡眠状態に関する情報を直接入力するための入力端末と、
前記入力端末に入力された情報に基づいて、前記睡眠情報を更新する更新部とを備える、状態監視装置。
【請求項２】
前記被検者の睡眠状態に関する情報は、前記被検者の居室に関する情報を含み、
前記入力端末は、
前記被検者の居室に関する入力情報と、前記被検者の居室情報とが一致するか否かを判定し、判定結果に基づいて警告を通知する、請求項１記載の状態監視装置。
【請求項３】
前記センサは、前記入力端末を所持する所持者の入室を検知し、検知結果に基づいて前記入力端末に前記被検者の居室に関する情報を送信する、請求項１記載の状態監視装置。
【請求項４】
前記入力端末は、前記センサからの前記被検者の居室に関する情報を表示する、請求項３記載の状態監視装置。
【請求項５】
前記入力端末は、前記被検者の睡眠状態に関する情報の入力を促す入力画面を表示する、請求項４記載の状態監視装置。
【発明の詳細な説明】
【技術分野】
【０００１】
本開示は、居住者の状態を監視する状態監視装置に関する。
【背景技術】
【０００２】
居住者を見守る技術が知られている。例えば、特開２０１７−１７４０１２号公報（特許文献１）には、ＩＴ（Information Technology）を利用して高齢者等の状態を監視する見守りシステムが提案されている。被検者にトラブル等が生じた場合に、速やかに介護士、看護師等が介助等を行うことが可能になる。被検者の状態を画面にリアルタイムで表示し、通常とは異なる事象、すなわちイベントが発生している被検者の状態を表示する情報処理装置が開示されている。
【０００３】
また、特許第５６８２５０４号公報（特許文献２）においては、被検者の生体情報を収集して被検者の安否を監視する安否監視装置において、被検者にマイクロ波を照射し、そのドップラシフトした反射波から、被検者の体動と呼吸とを検出し、所定時間内の体動数と呼吸数とから被検者の安否を監視する方式が開示されている。
【先行技術文献】
【特許文献】
【０００４】
【特許文献１】特開２０１７−１７４０１２号公報
【特許文献２】特許第５６８２５０４号公報
【発明の概要】
【発明が解決しようとする課題】
【０００５】
上記文献では、被検者の安否を監視する方式において、自動判定により被検者の状態を記録する方式を開示している。一方で、自動判定のみでは誤って被検者の状態を判定する場合もある。介護者が実際に被検者の安否を確認する場合もあり、当該介護者の安否確認に基づく情報も記録することが望ましい。
【０００６】
本開示は上述のような背景に鑑みてなされたものであって、ある局面における目的は、精度の高い被検者の状態の確認が可能な状態監視装置を提供することである。
【課題を解決するための手段】
【０００７】
ある実施の形態に従うと、状態監視装置は、被検者を監視し生体情報を検知する少なくとも１つのセンサと、センサで検知されたセンサデータに基づいて被検者の睡眠状態を解析して睡眠情報として保存する処理部と、被検者の睡眠状態に関する情報を直接入力するための入力端末と、入力端末に入力された情報に基づいて、睡眠情報を更新する更新部とを備える。
【０００８】
好ましくは、被検者の睡眠状態に関する情報は、被検者の居室に関する情報を含み、入力端末は、被検者の居室に関する入力情報と、被検者の居室情報とが一致するか否かを判定し、判定結果に基づいて警告を通知する。
【０００９】
好ましくは、センサは、入力端末を所持する所持者の入室を検知し、検知結果に基づいて入力端末に被検者の居室に関する情報を送信する。
【００１０】
好ましくは、入力端末は、センサからの被検者の居室に関する情報を表示する。
好ましくは、入力端末は、被検者の睡眠状態に関する情報の入力を促す入力画面を表示する。
【発明の効果】
【００１１】
ある局面において、精度の高い被検者の状態の確認が可能である。
この発明の上記および他の目的、特徴、局面および利点は、添付の図面と関連して理解されるこの発明に関する次の詳細な説明から明らかとなるであろう。
【図面の簡単な説明】
【００１２】
【図１】見守りシステム１００の構成の一例を示す図である。
【図２】見守りシステム１００の構成の概要を示すブロック図である。
【図３】クラウドサーバー１５０として機能するコンピューターシステム３００のハードウェア構成を表わすブロック図である。
【図４】センサーボックス１１９を用いた見守りシステム１００の装置構成の概略の一例を示す図である。
【図５】実施形態に基づくセンサーボックス１１９で取得される被検者の睡眠時の安静状態におけるセンサデータについて説明する図である。
【図６】実施形態に基づくセンサーボックス１１９で取得される被検者の睡眠時の覚醒状態におけるセンサデータについて説明する図である。
【図７】実施形態１に基づく管理サーバー２００の処理について説明する機能ブロック図である。
【図８】実施形態１に基づく管理サーバー２００の処理について説明する図である。
【図９】管理サーバー２００のメモリに格納されるデータテーブルについて説明する図である。
【図１０】実施形態１に基づく携帯端末１４３のディスプレイ２２６に表示される状態表示画面を説明する図である。
【図１１】実施形態１に基づく携帯端末１４３の入力画面を説明する図である。
【図１２】実施形態１に基づく携帯端末１４３の入力画面の処理について説明するフロー図である。
【図１３】実施形態１に従う管理サーバー２００における更新処理について説明するフロー図である。
【図１４】実施形態２に基づくセンサーボックス１１９の処理について説明するフロー図である。
【図１５】実施形態２に基づく携帯端末１４３の入力画面の表示について説明するフロー図である。
【図１６】実施形態３に基づく携帯端末１４３の入力画面の表示について説明するフロー図である。
【発明を実施するための形態】
【００１３】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００１４】
［技術思想］
まず、本明細書に開示にされる技術思想の概要について説明する。ある局面において、施設の入居者等の対象者の生体情報として呼吸信号が測定され、対象者の日頃の状態を正確に把握することができる。測定は、対象者が測定していることを意識していない状態で行なわれる。
【００１５】
（実施形態１）
［見守りシステム（状態監視装置）の構成］
図１は、見守りシステム１００の構成の一例を示す図である。見守り対象は、例えば、施設の居室領域１８０に設けられた各居室内の入居者である。図１の見守りシステム１００では、居室領域１８０に、居室１１０，１２０が設けられている。居室１１０は、入居者１１１に割り当てられている。居室１２０は、入居者１２１に割り当てられている。図１の例では、見守りシステム１００に含まれる居室の数は２であるが、当該数はこれに限定されない。
【００１６】
見守りシステム１００では、居室１１０，１２０にそれぞれ設置されたセンサーボックス１１９と、管理センター１３０に設置された管理サーバー２００と、アクセスポイント１４０とが、ネットワーク１９０を介して接続される。ネットワーク１９０は、イントラネットおよびインターネットのいずれをも含み得る。
【００１７】
見守りシステム１００では、介護者１４１が携帯する携帯端末１４３、および、介護者１４２が携帯する携帯端末１４４は、アクセスポイント１４０を介してネットワーク１９０に接続可能である。さらに、センサーボックス１１９、管理サーバー２００、および、アクセスポイント１４０は、ネットワーク１９０を介して、クラウドサーバー１５０と通信可能である。
【００１８】
居室１１０，１２０は、それぞれ、設備として、タンス１１２、ベッド１１３、および、トイレ１１４を含む。居室１１０のドアには、当該ドアの開閉を検出するドアセンサー１１８が設置されている。トイレ１１４のドアには、トイレ１１４の開閉を検出するトイレセンサー１１６が設置されている。ベッド１１３には、各入居者１１１，１２１の臭いを検出する臭いセンサー１１７が設置されている。居室１１０，１２０では、各入居者１１１，１２１は、それぞれ、ケアコール子機１１５を操作することができる。
【００１９】
センサーボックス１１９は、居室１１０，１２０内の物体の挙動を検出するためのセンサーを内蔵している。センサーの一例は、物体の動作を検出するためのドップラーセンサーである。他の例は、カメラである。センサーボックス１１９は、センサーとしてドップラーセンサーとカメラの双方を含んでもよい。
【００２０】
図２を参照して、見守りシステム１００の構成要素について説明する。図２は、見守りシステム１００の構成の概要を示すブロック図である。
【００２１】
［センサーボックス１１９］
センサーボックス１１９は、制御装置１０１と、ＲＯＭ（Read  Only  Memory）１０２と、ＲＡＭ（Random  Access  Memory）１０３と、通信インターフェース１０４と、カメラ１０５と、ドップラーセンサー１０６と、無線通信装置１０７と、記憶装置１０８とを備える。
【００２２】
制御装置１０１は、センサーボックス１１９を制御する。制御装置１０１は、たとえば、少なくとも１つの集積回路によって構成される。集積回路は、たとえば、少なくとも１つのＣＰＵ（Central  Processing  Unit）、ＭＰＵ（Micro  Processing  Unit）その他のプロセッサー、少なくとも１つのＡＳＩＣ（Application  Specific  Integrated  Circuit）、少なくとも１つのＦＰＧＡ（Field  Programmable  Gate  Array）、またはこれらの組み合わせなどによって構成される。
【００２３】
通信インターフェース１０４には、アンテナ（図示しない）などが接続される。センサーボックス１１９は、当該アンテナを介して、外部の通信機器との間でデータをやり取りする。外部の通信機器は、たとえば、管理サーバー２００、携帯端末１４３，１４４その他の端末、アクセスポイント１４０、クラウドサーバー１５０、その他の通信端末などを含む。
【００２４】
カメラ１０５は、一実現例では、近赤外カメラである。近赤外カメラは、近赤外光を投光するＩＲ（Infrared）投光器を含む。近赤外カメラが用いられることにより、夜間でも居室１１０，１２０の内部を表わす画像が撮影され得る。他の実現例では、カメラ１０５は、可視光のみを受光する監視カメラである。さらに他の実現例では、カメラ１０５として、３Ｄセンサーやサーモグラフィーカメラが用いられてもよい。センサーボックス１１９およびカメラ１０５は、一体として構成されてもよいし、別体で構成されてもよい。
【００２５】
ドップラーセンサー１０６は、たとえばマイクロ波ドップラーセンサーであり、電波を放射及び受信して、居室１１０，１２０内の物体の挙動（動作）を検出する。これにより、居室１１０，１２０の入居者１１１，１２１の生体情報が検出され得る。一例では、ドップラーセンサー１０６は、２４ＧＨｚ帯のマイクロ波を各居室１１０，１２０のベッド１１３に向けて放射し、入居者１１１，１２１で反射した反射波を受信する。反射波は、入居者１１１，１２１の動作により、ドップラーシフトしている。ドップラーセンサー１０６は、当該反射波から、入居者１１１，１２１の呼吸状態や心拍数を検出し得る。
【００２６】
無線通信装置１０７は、ケアコール子機２４０、ドアセンサー１１８、トイレセンサー１１６、臭いセンサー１１７からの信号を受信し、当該信号を制御装置１０１へ送信する。たとえば、ケアコール子機２４０は、ケアコールボタン２４１を備える。当該ボタンが操作されると、ケアコール子機２４０は、当該操作があったことを示す信号を無線通信装置１０７へ送信する。ドアセンサー１１８、トイレセンサー１１６、臭いセンサー１１７は、それぞれの検出結果を無線通信装置１０７へ送信する。
【００２７】
記憶装置１０８は、たとえば、フラッシュメモリーまたはハードディスク等の固定記憶装置、あるいは、外付けの記憶装置などの記録媒体である。記憶装置１０８は、制御装置１０１によって実行されるプログラム、および、当該プログラムの実行に利用される各種のデータを格納する。各種のデータは、入居者１１１，１２１の行動情報を含んでいてもよい。
【００２８】
上記のプログラムおよびデータのうち少なくとも一方は、制御装置１０１がアクセス可能な記憶装置であれば、記憶装置１０８以外の記憶装置（たとえば、制御装置１０１の記憶領域（たとえば、キャッシュメモリーなど）、ＲＯＭ１０２、ＲＡＭ１０３、外部機器（たとえば、管理サーバー２００や携帯端末１４３，１４４等）に格納されていてもよい。
【００２９】
［携帯端末１４３，１４４］
携帯端末１４３，１４４は、制御装置２２１と、ＲＯＭ２２２と、ＲＡＭ２２３と、通信インターフェース２２４と、ディスプレイ２２６と、記憶装置２２８と、入力デバイス２２９とを含む。ある局面において、携帯端末１４３，１４４は、例えば、スマートフォン、タブレット端末、腕時計型端末その他のウェアラブル装置等として実現される。
【００３０】
制御装置２２１は、携帯端末１４３，１４４を制御する。制御装置２２１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００３１】
通信インターフェース２２４には、アンテナ（図示しない）などが接続される。携帯端末１４３，１４４は、当該アンテナおよびアクセスポイント１４０を介して、外部の通信機器との間でデータをやり取りする。外部の通信機器は、たとえば、センサーボックス１１９、管理サーバー２００などを含む。
【００３２】
ディスプレイ２２６は、たとえば液晶ディスプレイ、有機ＥＬ（Electro luminescence）ディスプレイ等によって実現される。入力デバイス２２９は、たとえばディスプレイ２２６に設けられたタッチセンサーによって実現される。当該タッチセンサーは、携帯端末１４３，１４４に対するタッチ操作を受け付け、当該タッチ操作に応じた信号を制御装置２２１へ出力する。
【００３３】
記憶装置２２８は、たとえば、フラッシュメモリー、ハードディスクその他の固定記憶装置、あるいは、着脱可能なデータ記録媒体等により実現される。
【００３４】
［管理サーバー２００］
管理サーバー２００は、ＣＰＵがメモリに格納されているプログラムを実行することにより種々の機能を実現する。機能ブロックについては後述する。
【００３５】
［クラウドサーバーの構成］
図３を参照して、クラウドサーバー１５０の構成について説明する。図３は、クラウドサーバー１５０として機能するコンピューターシステム３００のハードウェア構成を表わすブロック図である。
【００３６】
コンピューターシステム３００は、主たる構成要素として、プログラムを実行するＣＰＵ１と、コンピューターシステム３００の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、通信インターフェース（Ｉ／Ｆ）７と、モニター８とを含む。各構成要素は、相互にデータバスによって接続されている。光ディスク駆動装置６には、ＣＤ−ＲＯＭ９その他の光ディスクが装着される。
【００３７】
コンピューターシステム３００における処理は、各ハードウェアおよびＣＰＵ１により実行されるソフトウェアによって実現される。このようなソフトウェアは、ハードディスク５に予め記憶されている場合がある。また、ソフトウェアは、ＣＤ−ＲＯＭ９その他の記録媒体に格納されて、コンピュータープログラムとして流通している場合もある。あるいは、ソフトウェアは、いわゆるインターネットに接続されている情報提供事業者によってダウンロード可能なアプリケーションプログラムとして提供される場合もある。このようなソフトウェアは、光ディスク駆動装置６その他の読取装置によりその記録媒体から読み取られて、あるいは、通信インターフェース７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００３８】
図３に示されるコンピューターシステム３００を構成する各構成要素は、一般的なものである。したがって、本開示に係る技術思想の本質的な部分の一つは、ＲＡＭ４、ハードディスク５、ＣＤ−ＲＯＭ９その他の記録媒体に格納されたソフトウェア、あるいはネットワークを介してダウンロード可能なソフトウェアであるともいえる。記録媒体は、一時的でない、コンピューター読取可能なデータ記録媒体を含み得る。なお、コンピューターシステム３００の各ハードウェアの動作は周知であるので、詳細な説明は繰り返さない。
【００３９】
なお、記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリーカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリー等の固定的にプログラムを担持する媒体でもよい。
【００４０】
ここでいうプログラムとは、ＣＰＵにより直接実行可能なプログラムだけでなく、ソースプログラム形式のプログラム、圧縮処理されたプログラム、暗号化されたプログラム等を含む。
【００４１】
［見守りシステム１００の装置構成］
図４を参照して、見守りシステム１００を用いた見守りについて説明する。図４は、センサーボックス１１９を用いた見守りシステム１００の装置構成の概略の一例を示す図である。
【００４２】
見守りシステム１００は、見守り対象者（監視対象者）である入居者１１１，１２１その他の入居者を見守るために利用される。図４に示されるように、居室１１０の天井には、センサーボックス１１９が取り付けられている。他の居室にも同様にセンサーボックス１１９が取り付けられている。
【００４３】
範囲４１０は、センサーボックス１１９による検出範囲を表わす。センサーボックス１１９が前述のドップラーセンサーを有する場合、当該ドップラーセンサーは、範囲４１０内で生じた人の挙動を検出する。センサーボックス１１９がセンサーとしてカメラを有する場合、当該カメラは、範囲４１０内の画像を撮影する。
【００４４】
センサーボックス１１９は、たとえば、介護施設、医療施設、宅内などに設置される。図４の例では、センサーボックス１１９は、天井に取り付けられており、入居者１１１およびベッド１１３を天井から撮影している。センサーボックス１１９の取り付け場所は天井に限られず、居室１１０の側壁に取り付けられてもよい。
【００４５】
見守りシステム１００は、カメラ１０５から得られた一連の画像（すなわち、映像）に基づいて入居者１１１に生じている危険を検知する。一例として、検知可能な危険は、入居者１１１の転倒や、危険個所（たとえば、ベッドの柵など）に入居者１１１がいる状態などを含む。
【００４６】
見守りシステム１００は、入居者１１１に危険が生じていることを検知した場合に、そのことを介護者１４１，１４３等に報知する。報知方法の一例として、見守りシステム１００は、入居者１１１の危険を介護者１４１，１４２の携帯端末１４３，１４４に通知する。携帯端末１４３，１４４は、当該通知を受信すると、入居者１１１の危険をメッセージ、音声、振動等で介護者１４１，１４２に報知する。これにより、介護者１４１，１４２は、入居者１１１に危険が生じていることを即座に把握でき、入居者１１１の元に素早く駆け付けることができる。
【００４７】
なお、図４には、見守りシステム１００が１つのセンサーボックス１１９を備えている例が示されているが、見守りシステム１００は、複数のセンサーボックス１１９を備えてもよい。また、図４には、見守りシステム１００が複数の携帯端末１４３，１４４を備えている例が示されているが、見守りシステム１００は、一つの携帯端末でも実現され得る。
【００４８】
そして、本例におけるセンサーボックス１１９の通信インターフェース１０４は、ドップラーセンサー１０６で取得したセンサデータを随時、クラウドサーバー１５０に送信する。
【００４９】
クラウドサーバー１５０は、一例としてハードディスク５に格納する。
管理サーバー２００は、クラウドサーバー１５０のハードディスク５に格納されているセンサデータを読み出して所定の処理を実行する。本例においては、被検者の状態を判定する。例えば、被検者の状態として安静状態あるいは覚醒状態を判定する。
【００５０】
管理サーバー２００は、必要に応じて被検者の状態を介護者に通知する。
［センサデータ］
図５は、実施形態に基づくセンサーボックス１１９で取得される被検者の睡眠時の安静状態におけるセンサデータについて説明する図である。
【００５１】
図５に示されるように、ドップラーセンサーによるマイクロ波の反射波が検出される。例えば、被検者がベッドで睡眠時に安静状態である場合には、呼吸動作以外の動きが少ない。したがって、呼吸動作の動きに合わせた反射波が一定の周期で振幅の小さい信号が検出される。
【００５２】
図６は、実施形態に基づくセンサーボックス１１９で取得される被検者の睡眠時の覚醒状態におけるセンサデータについて説明する図である。
【００５３】
例えば、被検者がベッドで睡眠時に覚醒状態である場合には、呼吸動作以外の動きが大きい。したがって、寝返り等、呼吸動作以外の動きに合わせた反射波が大きく、被検者の動作により信号の波形に大きな振幅が生じる。
【００５４】
［管理サーバー２００の処理］
図７は、実施形態１に基づく管理サーバー２００の処理について説明する機能ブロック図である。
【００５５】
図７を参照して、管理サーバー２００は、データ取得部２０２と、状態判定部２０４と、更新部２０８と、記録部２１０と、出力部２１２とを含む。
【００５６】
データ取得部２０２は、クラウドサーバー１５０に格納されたセンサデータを取得する。
【００５７】
状態判定部２０４は、クラウドサーバー１５０で取得したセンサデータに基づいて被検者の状態を判定する。具体的には、取得したセンサデータに基づいて被検者の呼吸数および体動数を計測し、当該呼吸数および体動数に基づいて被検者の状態を判定する。例えば、被検者の状態として、安静状態であるか覚醒状態であるかを判定する。
【００５８】
更新部２０８は、携帯端末１４３，１４４から送信されたデータに基づいて記録部２１０が格納した情報を上書き更新する。
【００５９】
記録部２１０は、状態判定部２０４で判定した情報をメモリに格納する。例えば、安静状態あるいは覚醒状態に関する被検者の状態を記録してもよい。
【００６０】
出力部２１２は、メモリに格納された情報を出力する。
図８は、実施形態１に基づく管理サーバー２００の処理について説明する図である。
【００６１】
図８を参照して、データ取得部２０２は、判定タイミングか否か判定する（ステップＳ０）。判定タイミングとしては、所定期間経過（一例として１０分）毎とすることが可能である。
【００６２】
データ取得部２０２は、判定タイミングであると判定した場合（ステップＳ０においてＹＥＳ）にクラウドサーバー１５０に格納されているセンサデータを取得する（ステップＳ２）。一方、判定タイミングで無いと判定した場合には、ステップＳ２の状態を維持する。
【００６３】
次に、状態判定部２０４は、データ取得部２０２で取得したセンサデータに基づいて所定期間（１０分）毎の呼吸数と体動数とを算出する（ステップＳ４）。
【００６４】
次に、状態判定部２０４は、呼吸数と体動数とに基づいて被検者の状態を判定する（ステップＳ６）。例えば、状態判定部２０４は、呼吸数と体動数との組み合わせが所定条件の場合に安静状態と判定し、それ以外の場合には覚醒状態と判定する。
【００６５】
次に、記録部２１０は、状態判定部２０４で判定した判定結果を日付情報と関連付けてメモリに格納する（ステップＳ８）。
【００６６】
そして、再びステップＳ０に戻る。
当該処理により所定期間（一例として１０分）毎に上記処理が自動で実行されて条件が成立する場合には、画像データと日付情報とが関連付けられてメモリに随時格納される。
【００６７】
図９は、管理サーバー２００のメモリに格納されるデータテーブルについて説明する図である。
【００６８】
図９を参照して、本例においては、一例としてある居室のデータテーブルが示されている。
【００６９】
本例においては、ある居室として、一例としてＡさんの居室名「２０７号室」とする。
一例として時刻「００：００〜００：３０」のうちの１０分毎に、データテーブルに日付情報と関連情報とが関連付けられて格納されている場合が示されている。また、関連情報として被検者の状態に関する情報が関連付けられて格納されている。本例においては、安静あるいは覚醒状態および呼吸数／分の情報が格納される。
【００７０】
例えば、時刻「００：００」に対して安静状態および呼吸数１５回／分の情報が関連付けられて格納されている場合が示されている。他の場合についても同様である。
【００７１】
図１０は、実施形態１に基づく携帯端末１４３のディスプレイ２２６に表示される状態表示画面を説明する図である。
【００７２】
図１０を参照して、介護者１４１が携帯端末１４３を操作して、管理サーバー２００にアクセスして、Ａさんの情報を要求すると管理サーバー２００の出力部２１２は、データテーブルの情報を携帯端末１４３に送信する。
【００７３】
本例においては、一例としてデータテーブルの情報に基づいて居室「２０７号室」のＡさんの状態表示画面が示されている。
【００７４】
本例においてはＡさんおよび居室「２０７号室」と、時刻情報００：００と、状態と、呼吸数とが表示されている。
【００７５】
具体的には、時刻情報「００：００」に関連付けられて登録されている安静状態および呼吸数１５回／分のデータが表示されている。
【００７６】
これにより、介護者１４１は、携帯端末１４３のディスプレイ２２６を介して容易にＡさんの状態を確認することが可能である。
【００７７】
［入力画面］
実施形態において、例えば介護者１４１は、被検者の状態を携帯端末１４３を用いて入力することが可能である。例えば、介護者１４１は、被検者（Ａさん）の居室（２０７号室）を訪問して、被検者の状態を確認しながら情報を入力する。
【００７８】
なお、携帯端末１４４についても同様である。
図１１は、実施形態１に基づく携帯端末１４３の入力画面を説明する図である。
【００７９】
図１１を参照して、入力部屋「２０７号室」と、睡眠、覚醒状態を選択するボタンと、睡眠状態自由記述ボタンと、体温および血圧、経皮的動脈血酸素飽和度（Ｓｐｏ２）に関するバイタル情報の入力欄と、介助記録自由技術ボタンと、保存ボタンとを含む。
【００８０】
入力画面に設けられたボタンを選択することにより、被検者の状態を選択入力するとともに、バイタル情報の入力や、被検者の状態情報を任意に入力することが可能である。
【００８１】
そして、保存ボタンを選択することにより、入力画面に入力した情報が管理サーバー２００に送信される。
【００８２】
管理サーバー２００は、当該情報に従ってデータテーブルを更新する。
図１２は、実施形態１に基づく携帯端末１４３の入力画面の処理について説明するフロー図である。具体的には、携帯端末１４３の制御装置２２１における処理である。
【００８３】
図１２を参照して、制御装置２２１は、コマンドの入力があるかどうかを判断する（ステップＳ１０）。具体的には、介護者は、入力を希望する居室情報を入力する。一例として、「２０７」として入力する。
【００８４】
ステップＳ１０において、制御装置２２１は、コマンドの入力が無い場合には、ステップＳ１０の状態を維持する。
【００８５】
一方、ステップＳ１０において、制御装置２２１は、コマンドの入力がある場合（ステップＳ１０においてＹＥＳ）には、入力画面を表示する（ステップＳ１２）。具体的には、図１１の入力画面をディスプレイ２２６に表示する。居室情報（２０７号室）の入力に従って、当該居室情報に関する入力画面を表示する。
【００８６】
次に、制御装置２２１は、入力処理を実行する（ステップＳ１４）。介護者は、図１１の入力画面に対する操作指示に従って所定の入力処理を実行する。睡眠、覚醒状態の選択、バイタル情報の入力等を実行する。
【００８７】
次に、制御装置２２１は、保存の指示があるかどうかを判断する（ステップＳ１６）。
ステップＳ１６において、制御装置２２１は、保存の指示がない場合（ステップＳ１６においてＮＯ）には、ステップＳ１４に戻り、上記処理を繰り返す。
【００８８】
ステップＳ１６において、制御装置２２１は、保存の指示があると判断した場合（ステップＳ１６においてＹＥＳ）には、入力処理されたデータを管理サーバー２００に送信する（ステップＳ１８）。
【００８９】
そして、処理を終了する（エンド）。
図１３は、実施形態１に従う管理サーバー２００における更新処理について説明するフロー図である。
【００９０】
図１３を参照して、データ取得部２０２は、携帯端末１４３からデータを受信したか否かを判断する（ステップＳ２０）。
【００９１】
ステップＳ２０において、データ取得部２０２は、データを受信していない場合（ステップＳ２０においてＮＯ）には、ステップＳ２０の状態を維持する。
【００９２】
ステップＳ２０において、データ取得部２０２は、携帯端末１４３からデータを受信した場合（ステップＳ２０においてＹＥＳ）には、更新部２０８に指示し、更新部２０８は、テーブル情報を取得する（ステップＳ２２）。更新部２０８は、携帯端末１４３からのデータに含まれている居室情報に基づいて、当該居室情報に対応するテーブル情報を取得する。
【００９３】
次に、更新部２０８は、テーブル情報を更新する（ステップＳ２４）。具体的には、更新部２０８は、携帯端末１４３から受信したデータに含まれている時刻に対応するデータの内容を更新する。例えば、携帯端末１４３から受信したデータが時刻「００：００」のデータであれば当該時刻「００：００」に対応するテーブル情報のデータを更新する。そして、携帯端末１４３から受信したデータを優先してテーブル情報のデータを更新する。
【００９４】
そして、処理を終了する（エンド）。
当該処理により、介護者が携帯端末を介して入力画面に情報を入力することにより、当該情報がテーブル情報に書き込まれ、上書き更新される。
【００９５】
したがって、管理サーバー２００における自動判定のみでは、実際に介護者が居室を確認していないため誤って被検者の状態を判定する可能性もあるが、本方式により、介護者が実際に被検者の状態を確認した情報に基づいて被検者の状態が記録更新されるため精度の高い被検者の安否確認が可能である。
【００９６】
（実施形態２）
上記の実施形態１においては、介護者１４１が携帯端末１４３を所持して被検者の居室に入室して記録する場合について説明した。
【００９７】
実施形態２においては、介護者１４１が所持する携帯端末１４３の記録を補助する方式について説明する。なお、本例においては、一例として携帯端末１４３を例に挙げて説明するが、特にこれに限られず携帯端末１４４についても同様である。
【００９８】
図１４は、実施形態２に基づくセンサーボックス１１９の処理について説明するフロー図である。
【００９９】
図１４を参照して、センサーボックス１１９の無線通信装置１０７は、居室内の携帯端末１４３を探索するための探索信号を送信する（ステップＳ２５）。センサーボックス１１９の無線通信装置１０７は、所定周期毎に探索信号をブロードキャスト送信する。携帯端末１４３は、探索信号を受信した場合に返信通知をセンサーボックス１１９に送信するものとする。
【０１００】
次に、無線通信装置１０７は、返信通知を受けたか否かを判断する（ステップＳ２６）。携帯端末１４３は、探索信号に対して返信通知をセンサーボックス１１９に送信する。
【０１０１】
ステップＳ２６において、無線通信装置１０７は、返信通知を受けた場合には、居室情報を携帯端末１４３に送信する（ステップＳ２７）。無線通信装置１０７は、返信通知を受けた場合には、携帯端末１４３を所持する所持者の入出を検知する。そして、検知結果に基づいて携帯端末１４３に居室情報を送信する。なお、居室情報は、予め記憶装置１０８等に格納されているものとする。
【０１０２】
そして、処理を終了する（エンド）。
図１５は、実施形態２に基づく携帯端末１４３の入力画面の表示について説明するフロー図である。
【０１０３】
図１５を参照して、制御装置２２１は、無線通信装置１０７からの探索信号の受信があるかどうかを判断する（ステップＳ３０）。具体的には、制御装置２２１は、無線通信装置１０７からの探索信号の受信があったかどうかを判断する。
【０１０４】
ステップＳ３０において、制御装置２２１は、探索信号の受信が無い場合には、ステップＳ３０の状態を維持する。
【０１０５】
一方、ステップＳ３０において、制御装置２２１は、探索信号の受信がある場合（ステップＳ３０においてＹＥＳ）には、返信通知をセンサーボックス１１９に送信する（ステップＳ３２）。
【０１０６】
次に、制御装置２２１は、センサーボックス１１９から居室情報を受信したか否かを判断する（ステップＳ３４）。
【０１０７】
ステップＳ３４において、制御装置２２１は、センサーボックス１１９からの居室情報を受信しない場合（ステップＳ３４においてＮＯ）には、ステップＳ３４の状態を維持する。
【０１０８】
一方、ステップＳ３４において、制御装置２２１は、センサーボックス１１９からの居室情報を受信した場合（ステップＳ３４においてＹＥＳ）には、入力画面を表示する（ステップＳ３６）。具体的には、携帯端末１４３は、図１１に示される被検者の睡眠状態に関する情報の入力を促す入力画面を表示する。
【０１０９】
そして、処理を終了する（エンド）。
当該処理により、自動的に入力画面が表示されるため介護者の操作作業が簡略化され利便性が高い。
【０１１０】
（実施形態３）
介護者が入力する居室に関する情報を誤っている場合について説明する。
【０１１１】
図１６は、実施形態３に基づく携帯端末１４３の入力画面の表示について説明するフロー図である。
【０１１２】
図１６を参照して、制御装置２２１は、無線通信装置１０７からの探索信号の受信があるかどうかを判断する（ステップＳ４０）。具体的には、制御装置２２１は、無線通信装置１０７からの探索信号の受信があったかどうかを判断する。
【０１１３】
ステップＳ４０において、制御装置２２１は、探索信号の受信が無い場合には、ステップＳ４０の状態を維持する。
【０１１４】
一方、ステップＳ４０において、制御装置２２１は、探索信号の受信がある場合（ステップＳ４０においてＹＥＳ）には、返信通知をセンサーボックス１１９に送信する（ステップＳ４２）。
【０１１５】
次に、制御装置２２１は、センサーボックス１１９から居室情報を受信したか否かを判断する（ステップＳ４４）。
【０１１６】
ステップＳ４４において、制御装置２２１は、センサーボックス１１９からの居室情報を受信しない場合（ステップＳ４４においてＮＯ）には、ステップＳ４４の状態を維持する。
【０１１７】
一方、ステップＳ４４において、制御装置２２１は、センサーボックス１１９からの居室情報を受信した場合（ステップＳ４４においてＹＥＳ）には、次に、制御装置２２１は、コマンドの入力があるかどうかを判断する（ステップＳ４６）。具体的には、介護者は、入力を希望する居室情報を入力する。一例として、「２０７」として入力する。
【０１１８】
ステップＳ４６において、制御装置２２１は、コマンドの入力が無い場合には、ステップＳ４６の状態を維持する。
【０１１９】
一方、ステップＳ４６において、制御装置２２１は、コマンドの入力がある場合（ステップＳ４６においてＹＥＳ）には、入力画面を表示する（ステップＳ４８）。具体的には、図１１の入力画面をディスプレイ２２６に表示する。居室情報（２０７号室）の入力に従って、当該居室情報（２０７号室）に関する入力画面を表示する。
【０１２０】
次に、制御装置２２１は、入力処理を実行する（ステップＳ５０）。介護者は、図１１の入力画面に対する操作指示に従って所定の入力処理を実行する。睡眠、覚醒状態の選択、バイタル情報の入力等を実行する。
【０１２１】
次に、制御装置２２１は、居室情報に対して入力されている情報を確認する（ステップＳ５２）。
【０１２２】
そして、制御装置２２１は、居室情報に対する入力情報が正しいか否かを判断する（ステップＳ５４）。具体的には、コマンドの入力の際に介護者が入力した居室情報と、センサーボックス１１９で受信した居室情報とが一致するか否かを判断する。例えば、コマンドの入力の際に介護者が入力した居室情報（「２０７」）と、センサーボックス１１９で受信した居室情報（「２０７」）とが一致するか否かを判断し、一致する場合には入力情報が正しいと判断する。一方、例えば、コマンドの入力の際に介護者が入力した居室情報（「２０８」）と、センサーボックス１１９で受信した居室情報（「２０７」）とが一致しない場合には入力情報が正しくないと判断する。
【０１２３】
ステップＳ５４において、制御装置２２１は、居室情報に対する入力情報が正しいと判断した場合（ステップＳ５４においてＹＥＳ）には、次に、保存の指示があるかどうかを判断する（ステップＳ５８）。
【０１２４】
ステップＳ５８において、制御装置２２１は、保存の指示がない場合（ステップＳ５８においてＮＯ）には、ステップＳ５０に戻り、上記処理を繰り返す。
【０１２５】
ステップＳ５８において、制御装置２２１は、保存の指示があると判断した場合（ステップＳ１６においてＹＥＳ）には、入力処理されたデータを管理サーバー２００に送信する（ステップＳ６０）。
【０１２６】
そして、処理を終了する（エンド）。
一方で、ステップＳ５４において、制御装置２２１は、居室情報に対する入力情報が正しくないと判断した場合（ステップＳ５４においてＮＯ）には、警告を表示する（ステップＳ５６）。具体的には、「入力情報が異なる可能性があります」等のエラーメッセージを警告として表示するようにしてもよい。あるいは、エラー音等を出力するようにしてもよい。
【０１２７】
そして、ステップＳ５８に進む。以降の処理は同様である。
当該処理により、入力情報が誤っている可能性がある場合には、警告を通知することにより、適切な入力情報を再入力して、入力情報の入力ミスを防止することが可能である。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２９】
本技術は、病院、老人ホーム、養護施設その他の施設で取得される情報に適用可能である。
【符号の説明】
【０１３０】
１００  システム、１０１，２２１  制御装置、１０６  ドップラーセンサー、１０７  無線通信装置、１０８  記憶装置、１０９  ドア、１１０，１２０  居室、１１１，１２１，９１０，９２０，９３０，９５０  入居者、１１２  タンス、１１３  ベッド、１１４  トイレ、１１５  ケアコール子機、１１６  トイレセンサー、１１７  センサー、１１８  ドアセンサー、１１９  センサーボックス、１３０  管理センター、１４０  アクセスポイント、１４１，１４２  介護者、１４３，１４４  携帯端末、１５０  クラウドサーバー、１９０  ネットワーク、２００  管理サーバー、２２６  ディスプレイ、２２９  入力デバイス、２４１  ケアコールボタン、２９０  バイタルセンサー、３００  コンピューターシステム。
【図１】
2020057223.tif 000003
【図２】
2020057223.tif 000004
【図３】
2020057223.tif 000005
【図４】
2020057223.tif 000006
【図５】
2020057223.tif 000007
【図６】
2020057223.tif 000008
【図７】
2020057223.tif 000009
【図８】
2020057223.tif 000010
【図９】
2020057223.tif 000011
【図１０】
2020057223.tif 000012
【図１１】
2020057223.tif 000013
【図１２】
2020057223.tif 000014
【図１３】
2020057223.tif 000015
【図１４】
2020057223.tif 000016
【図１５】
2020057223.tif 000017
【図１６】
2020057223.tif 000018